(57)【要約】【課題】  電話装置において、電話回線の閉結前に、誰から電話がかかってきたのかが容易に分かるようにする。【解決手段】  交換機から電話回線を介して送られてきた呼出信号を検出し、その呼出信号が所定数検出されると、呼出信号と共に交換機から電話回線を介して送られてくる発呼側電話番号と発呼者名をＲＡＭに一旦格納すると共に、その中から発呼側電話番号を読み出し、表示手段に表示中、電話帳登録指示手段によって指示された場合、表示手段に表示中の発呼側電話番号を電話帳登録手段に登録する。【選択図】        図６
2007195263.tif 000002
【特許請求の範囲】
【請求項１】
交換機から回線を介して送られてきた発呼側電話番号を受信可能な電話装置であって、
電話番号を記憶可能な記憶手段と、
前記交換機から回線を介して送られてきた発呼側電話番号を前記記憶手段に記憶する記憶制御手段と、
自動ダイヤルが登録される電話帳登録手段と、
前記電話帳登録手段に登録する電話帳登録指示手段と、
前記記憶手段に記憶された発呼側電話番号を表示する表示手段と、
前記記憶手段に記憶された発呼側電話番号を前記表示手段に表示中、前記電話帳登録指示手段によって指示された場合、前記表示手段に表示中の発呼側電話番号を前記電話帳登録手段に登録する登録制御手段と、
を備えたことを特徴とする電話装置。
【請求項２】
交換機から回線を介して送られてきた発呼者名を受信可能な請求項１記載の電話装置であって、
前記記憶手段は、発呼者名を記憶可能で、
前記記憶制御手段は、前記発呼側電話番号と発呼者名とを対応させて前記記憶手段に記憶でき、
前記表示手段は、発呼者名を表示でき、
前記登録制御手段は、前記記憶手段に記憶された発呼側電話番号と発呼者名を前記表示手段に表示中、前記電話帳登録指示手段によって指示された場合、前記表示手段に表示中の発呼側電話番号と発呼者名を前記電話帳登録手段に登録できること
を特徴とする電話装置。
【請求項３】
請求項２に記載の電話装置であって、
前記記憶手段は、発呼者名を着信履歴として記憶可能で、
前記記憶制御手段は、前記発呼側電話番号と発呼者名とを対応させて前記記憶手段に記憶でき、
前記表示手段は、発呼者名を表示でき、
前記登録制御手段は、前記記憶手段に記憶された発呼側電話番号と発呼者名を前記表示手段に表示中、前記電話帳登録指示手段によって指示された場合、前記表示手段に表示中の発呼側電話番号と発呼者名を前記電話帳登録手段に登録できること
を特徴とする電話装置。
【発明の詳細な説明】
【技術分野】
【０００１】
本発明は、交換機から回線を介して送られてきた発呼側電話番号と発呼者名とを受信可能な電話装置に関するものである。
【背景技術】
【０００２】
従来より、電話回線からの呼出信号とほぼ同時に発呼側の電話番号を送信するサービスが考えられており、このサービスを利用することにより被呼側では回線を閉結する前に発呼側が誰なのかを知ることができるものである。
【発明の開示】
【発明が解決しようとする課題】
【０００３】
しかしながら、回線から送られた電話番号のみを表示しても、電話番号に対応する名前を記憶していない限り、実際に発呼側が誰であるのかを即座に知ることは容易ではなかった。
【０００４】
本発明は、こうした問題に鑑みなされたものであり、回線を介して送られてくる発呼側電話番号と発呼者名とを利用して、誰から電話がかかってきたのかが容易に分かる電話装置を提供することを目的としている。
【課題を解決するための手段】
【０００５】
上記目的を達成するためになされた請求項１に記載の本発明の電話装置は、交換機から回線を介して送られてきた発呼側電話番号を受信可能な電話装置であって、電話番号を記憶可能な記憶手段と、前記交換機から回線を介して送られてきた発呼側電話番号を前記記憶手段に記憶する記憶制御手段と、自動ダイヤルが登録される電話帳登録手段と、前記電話帳登録手段に登録する電話帳登録指示手段と、前記記憶手段に記憶された発呼側電話番号を表示する表示手段と、前記記憶手段に記憶された発呼側電話番号を前記表示手段に表示中、前記電話帳登録指示手段によって指示された場合、前記表示手段に表示中の発呼側電話番号を前記電話帳登録手段に登録する登録制御手段とを備えている。
【０００６】
上記目的を達成するためになされた請求項２に記載の本発明の電話装置は、交換機から回線を介して送られてきた発呼者名を受信可能な請求項１記載の電話装置であって、前記記憶手段は、発呼者名を記憶可能で、前記記憶制御手段は、前記発呼側電話番号と発呼者名とを対応させて前記記憶手段に記憶でき、前記表示手段は、発呼者名を表示でき、前記登録制御手段は、前記記憶手段に記憶された発呼側電話番号と発呼者名を前記表示手段に表示中、前記電話帳登録指示手段によって指示された場合、前記表示手段に表示中の発呼側電話番号と発呼者名を前記電話帳登録手段に登録できることを特徴とする。
【０００７】
上記目的を達成するためになされた請求項３に記載の本発明の電話装置は、前記記憶手段は、発呼者名を着信履歴として記憶可能で、前記記憶制御手段は、前記発呼側電話番号と発呼者名とを対応させて前記記憶手段に記憶でき、前記表示手段は、発呼者名を表示でき、前記登録制御手段は、前記記憶手段に記憶された発呼側電話番号と発呼者名を前記表示手段に表示中、前記電話帳登録指示手段によって指示された場合、前記表示手段に表示中の発呼側電話番号と発呼者名を前記電話帳登録手段に登録できることを特徴とする電話装置。
【発明の効果】
【０００８】
以上説明したように、請求項１に記載の電話装置によれば、当該装置に電話がかかってくる毎に、交換機から送られてきた発呼側電話番号を記憶し、その記憶した発呼側電話番号を表示手段に表示するようにしているため、発呼側が誰なのかを容易に確認することができる。
【０００９】
また、発呼側電話番号を表示中に、電話帳登録指示手段によって表示中の発呼側電話番号を電話帳登録手段に登録するようにしており、これにより、後で簡単に電話がかけられるようにしている。
【００１０】
請求項２記載の電話装置によれば、請求項１の効果に加えて、発呼者名を登録できるため、誰から電話がかかってきたのかが容易にわかるという効果を奏している。
【００１１】
請求項３記載の電話装置によれば、請求項２の効果に加えて、発呼者名を着信履歴として登録できるため、留守番電話モードの再生時において、誰から電話がかかってきたのかが容易にわかるという効果を奏している。
【発明を実施するための最良の形態】
【００１２】
以下に、本発明の実施例を図面に基づいて説明する。
【００１３】
まず、図１は本発明が適用された実施例の留守番電話機能付き電話装置１の構成を表すブロック図である。
【００１４】
電話装置１は電話回線３を介して交換機５に接続されており、交換機５には電話回線７を介して、或いは更に図示しない他の交換機及び電話回線を介して他の電話装置が接続されている。
【００１５】
ここで、当該電話装置１（ここでは便宜上「被呼側」と呼ぶ）には、他の電話装置（ここでは便宜上「発呼側」と呼ぶ）のダイヤル操作に応じて、交換機５を介して断続的な呼出信号が入来する。そして、本実施例では、被呼側が予め交換機５に発呼側電話番号受信サービスの加入者であることを登録してあるならば、最初の呼出信号と次の呼出信号の間の無音区間において、交換機５を介して発呼側の電話番号（以下、発呼側電話番号という）と発呼者名と発呼時の時刻が当該被呼側に送られる交換システムになっており、アメリカではアナログの交換システムにおいて既に実用化されている。本発明は、このような交換システムを前提としたものである。
【００１６】
そして、電話装置１は、電話回線３に接続されて上記呼出信号，発呼側電話番号，発呼者名，時刻及び発呼側が電話を切った際に交換機５から送られてくる繰り返し信号（ビジトーン）等を受信すると共に、発信時のダイヤル操作に応じた選択信号（ダイヤル信号）を送信し、更に通話時におけるアナログ音声信号の送受信等を行う、回線制御用のネットワーク・コントロールユニット（以下、ＮＣＵという）９と、後述する各制御処理を実行するＣＰＵ１１と、ＣＰＵ１１が実行する制御処理用のプログラムが格納されたＲＯＭ１３と、ＣＰＵ１１の演算結果等を一時格納するＲＡＭ１５とを備えている。
【００１７】
更に、電話装置１は、ＮＣＵ９によって受信されたアナログ音声信号をデジタル音声信号に変換すると共に、当該装置内部で生成されたデジタル音声信号をアナログ音声信号に変換してＮＣＵ９に出力する音声ＬＳＩ１７と、当該装置が留守番電話モードにセットされているときに発呼側へ送出すべき応答メッセージ（以下、ＯＧＭ：Outgoing Messageという），発呼側から送られてきた入来メッセージ（以下、ＩＣＭ：Incoming Messageという），及び発呼側電話番号，名前，時刻などを記憶するための、記憶媒体（記憶手段）としてのダイナミックＲＡＭ（ＤＲＡＭ）２１と、ワンタッチダイヤルや短縮ダイヤルといった自動ダイヤルが可能な電話番号を記憶するためのＤＲＡＭ２３と、ダイヤル操作用の複数の数字キーからなるダイヤルキー，当該装置の動作モードを留守番電話機能を作動させる留守番電話モードと留守番電話機能を作動させない在宅モードとの何れかに切り換えるためのモード切換キー，自動ダイヤルの電話番号を登録するための電話帳キー，ワンタッチ操作での発呼（発信）を行うためのリダイヤルキー，及びＤＲＡＭ２１に記憶されたＩＣＭの再生指令を行うための再生キー等が配設された操作部２５と、電話番号や各種メッセージ等を表示するための、表示手段としての表示部２７と、呼出音や再生したＩＣＭをスピーカ２９を介して出力させるためのアンプ３１と、上記各部を接続するデータバス３３と、受話器３５と、受話器３５が当該装置の筐体から外されたときにオフするフックスイッチ３７とを備えている。
【００１８】
このように構成された電話装置１での通常時における発信動作及び着信動作について概略説明する。
【００１９】
まず、発信時には、ＣＰＵ１１は、受話器３５が外されてフックスイッチ３７がオフしたこと（以下、この状態をオフフックともいう）をＮＣＵ９を介して検出し、その後、操作部２５（ダイヤルキー）の使用者によるダイヤル操作に応じた選択信号をＮＣＵ９に出力する。すると、その選択信号はＮＣＵ９から電話回線３を介して交換機５に送出され、相手側の呼出が行われる。一方、着信時には、ＣＰＵ１１は、呼出信号が入来したこと（即ち着信があったこと）をＮＣＵ９を介して検出すると共に、その呼出信号に連動して所定の呼出音をアンプ３１及びスピーカ２９を介して出力する。そして、ＣＰＵ１１は、呼出信号の検出中にオフフックを検出すると、ＮＣＵ９に電話回線３を閉結させて、受話器３５での通話を可能にする。
【００２０】
次に、このような電話装置１において、上記モード切換キーによって当該装置の動作モードが留守番電話モードにセットされた場合にＣＰＵ１１が実行する処理について、図２〜図７に示すフローチャートに基づいて説明する。
【００２１】
図２は、留守番電話モード時の全体処理を表すフローチャートである。この処理の実行が開始されると、まず、ステップ（以下、単にＳと記す）１１０にて、呼出信号が入来したか（着呼があったか）否かを判定する、呼出信号検出手段としての処理を実行し、着呼があったと判定した場合には（Ｓ１１０でＹＥＳ）、続くＳ１２０にて、呼出信号と共に発呼側電話番号，発呼者名および時刻などが送られてきたか否かを判定する。この時１回目の呼出信号では呼出音を出力しない。そして、発呼側電話番号，発呼者名および時刻などが送られてきたと判定した場合には（Ｓ１２０でＹＥＳ）、続くＳ１３０にて、その発呼側電話番号，発呼者名および時刻などを受信してそれらを対応させてＲＡＭ１５に一旦格納すると共に、その発呼側電話番号，発呼者名および時刻を順次サイクリックに表示する。このとき発呼者名が送られてこなければ、発呼側電話番号を表示する。
【００２２】
なお、Ｓ１３０にて、その発呼側電話番号，発呼者名および時刻などを受信してそれらを対応させてＲＡＭ１５に一旦格納すると共に、その発呼側電話番号，発呼者名および時刻の中から発呼者名を優先させてを表示部２７に表示することも可能で、これにより、発呼者が誰なのかを容易に確認することができる。
【００２３】
このＳ１３０の処理が終了するか、或いはＳ１２０で何も送られてこなかったと判定した場合には（Ｓ１２０でＮＯ）、Ｓ１４０に移行して、現在受信中の２回目の呼出信号に連動してスピーカ２９から呼出音を出力し、続くＳ１５０にて、呼出音を所定回数（例えば５回）だけ鳴らしたか否かを判定する。２回目の呼出信号に応じて呼出音を出力するのは、１回目の呼出音でオフフックされた場合に発呼側電話番号などが表示されない恐れがあるためであるが、１回目の呼出信号に応じて呼出音を出力してもよい。そして、呼出音を未だ所定回数だけ鳴らしていないと判定した場合には（Ｓ１５０でＮＯ）、続くＳ１６０にて、使用者が受話器３５を外してオフフックされたか否かを判定し、オフフックされていないと判定すると（Ｓ１６０でＮＯ）、Ｓ１４０に戻ってＳ１４０〜Ｓ１６０の処理を繰り返す。
【００２４】
また、Ｓ１６０にて、オフフックされたと判定すると（Ｓ１６０でＹＥＳ）、Ｓ１７０に進んで、ＮＣＵ９に電話回線３を閉結させる。即ち、呼出音を所定回数だけ鳴らす前に使用者が受話器３５を外した場合には、電話回線３を閉結させて受話器３５による通話ができるようにする。
【００２５】
そして、続くＳ１８０にて、使用者が受話器３５を下ろしてフックスイッチ３７がオンされた（以下、この状態をオンフックともいう）か否かを判定し、オンフックされたと判定するまで待機する。そして、オンフックされたと判定すると（Ｓ１８０でＹＥＳ）、使用者の通話が終了したと判断して、続くＳ１９０にて電話回線３を開放させ、その後、前記Ｓ１１０に戻って着呼待ちの状態になる。
【００２６】
一方、Ｓ１５０にて、呼出音を所定回数だけ鳴らしたと判定した場合、即ち、呼出音が所定回数だけ鳴るまでに使用者が受話器３５を外さなかった場合には（Ｓ１５０でＹＥＳ）、Ｓ２００にて、発呼側へ自動応答するための自動応答制御手段としての応答処理を実行した後、前記Ｓ１１０に戻る。
【００２７】
ここで、この応答処理（Ｓ２００）は図３に示す如く実行される。即ち、応答処理の実行が開始されると、まず、Ｓ３１０にて電話回線３を閉結し、続くＳ３２０にて、ＤＲＡＭ２１に予め記憶されているＯＧＭを、音声ＬＳＩ１７及びＮＣＵ９を介して電話回線３に送出する。
【００２８】
そして、続くＳ３３０にて、ＯＧＭの送出が終了したか否かを判定し、ＯＧＭの送出が終了していないと判定した場合には（Ｓ３３０でＮＯ）、続くＳ３４０にて、オフフックされたか否かを判定し、オフフックされていないと判定すると（Ｓ３４０でＮＯ）、前記Ｓ３３０に戻ってＳ３３０，Ｓ３４０の処理を繰り返す。また、Ｓ３４０にて、オフフックされたと判定すると（Ｓ３４０でＹＥＳ）、Ｓ３５０に進んで、ＯＧＭの送出を中止すると共に受話器３５による通話を可能とし、続くＳ３６０にて、オンフックされたと判定するまで待機する。そして、Ｓ３６０でオンフックされたと判定すると（Ｓ３６０でＹＥＳ）、Ｓ３７０に進んで電話回線３を開放させ、その後、当該処理を終了する。即ち、ＯＧＭの送出中に使用者が受話器３５を外した場合には、受話器３５による通話ができるようにしている。
【００２９】
一方、Ｓ３３０にて、ＯＧＭの送出が終了したと判定すると（Ｓ３３０でＹＥＳ）、Ｓ３８０に移行する。そして、このＳ３８０にて、発呼側からのＩＣＭを録音するための録音処理を実行した後、当該応答処理を終了する。
【００３０】
ここで、この録音処理（Ｓ３８０）は図４に示す如く実行される。即ち、録音処理の実行が開始されると、まず、Ｓ４１０にて、上述したＳ１３０で発呼側電話番号，名前，時刻などが受信されており、それがＲＡＭ１５に格納されているか否かを判定する。そして、発呼側電話番号，名前，時刻などが受信済みであると判定した場合には（Ｓ４１０でＹＥＳ）、続くＳ４２０にて、その発呼側電話番号，発呼者名および時刻を、今から録音するＩＣＭと１対１に対応する属性情報（以下、ＩＣＭ属性情報という）としてＤＲＡＭ２１に格納する記憶制御手段としての処理を実行する。
【００３１】
このＳ４２０の処理が終了するか、或いはＳ４１０で何も受信されていないと判定した場合には（Ｓ４１０でＮＯ）、Ｓ４３０に移行して、電話回線３から入来するＩＣＭの録音を開始する。尚、この処理は、発呼側からのアナログ音声信号をＮＣＵ９及び音声ＬＳＩ１７を介してデジタル音声信号として取り込み、その音声信号に応じたデータ（録音データ）をＤＲＡＭ２１に格納する、といった手順で実行される。
【００３２】
そして、続くＳ４４０にて、録音中のＩＣＭに音声が含まれていない状態が所定時間以上継続したか否か、換言するならば録音中の信号が所定時間以上、非音声信号であるか否かを判定する、判定手段としての処理を実行する。尚、ここで判定される非音声信号とは、音を含まない無音信号，単一トーンの連続信号，或いは単一トーンの繰り返し信号（ビジトーン）といった信号であり、Ｓ４４０では、これらの非音声信号が所定時間以上継続して入来した場合に肯定判定される。
【００３３】
そしてＳ４４０にて、非音声信号が所定時間以上継続していないと判定した場合には（Ｓ４４０でＮＯ）、Ｓ４５０に進んで、予め設定された録音時間が経過したか否かを判定し、その録音時間が経過していないと判定した場合には（Ｓ４５０でＮＯ）、続くＳ４６０にて、オフフックされたか否かを判定する。そして、オフフックされていないと判定すると（Ｓ４６０でＮＯ）、前記Ｓ４４０に戻って、Ｓ４４０〜Ｓ４６０の処理を繰り返す。また、Ｓ４６０にて、オフフックされたと判定した場合には（Ｓ４６０でＹＥＳ）、Ｓ４７０に進んで、ＩＣＭの録音を中止すると共に受話器３５による通話を可能とし、続くＳ４８０にて、オンフックされたと判定するまで待機する。即ち、ＩＣＭの録音中に使用者が受話器３５を外した場合には、録音を中止して受話器３５による通話ができるようにしている。
【００３４】
一方、Ｓ４４０にて、非音声信号が所定時間以上継続したと判定した場合には（Ｓ４４０でＹＥＳ）、Ｓ４９０に移行して、その非音声信号部分の録音データをＤＲＡＭ２１から消去する、消去手段としての処理を実行する。ここで、ＩＣＭが始めから非音声信号で所定時間以上経過した場合には、そのＩＣＭの録音データは残らないこととなるが、ＩＣＭの録音を行ったことはＤＲＡＭ２１に記憶される。
【００３５】
そして、このＳ４９０の処理を実行した場合、Ｓ４５０で録音時間が経過したと判定した場合（Ｓ４５０でＹＥＳ）、或いはＳ４８０でオフフックされたと判定した場合には（Ｓ４８０でＹＥＳ）、Ｓ５００に移行して、電話回線３を開放させる。そして、続くＳ５１０にて、今回録音したＩＣＭの録音データがＤＲＡＭ２１内にあるか否かを判定する、第２の判定手段としての処理を実行し、録音データがあると判定した場合には（Ｓ５１０でＹＥＳ）、そのまま当該録音処理を終了する。また、Ｓ５１０にて、今回録音したＩＣＭの録音データがないと判定した場合には（Ｓ５１０でＮＯ）、Ｓ５２０に進んで、ＩＣＭ属性情報内の無音声フラグをセットした後、当該処理を終了する。尚、この無音声フラグは、対応するＩＣＭは一旦録音されたものの、それが最初から所定時間以上、非音声信号であったため、その全録音データがＤＲＡＭ２１から消去された旨を示すフラグである。
【００３６】
一方、図２におけるＳ１１０にて、呼出信号が入来しておらず着呼がないと判定した場合には（Ｓ１１０でＮＯ）、Ｓ２１０に移行して、操作部２５の再生キーがオンされたか否かを判定する。そして、再生キーがオンされていないと判定した場合には（Ｓ２１０でＮＯ）、続くＳ２２０にて、操作部２５に設けられた無音声モードキーが押されたか否かを判定し、無音声モードキーが押されていないと判定した場合には（Ｓ２２０でＮＯ）、前記Ｓ１１０に戻る。
【００３７】
これに対しＳ２２０にて、無音声モードキーが押されたと判定した場合には（Ｓ２２０でＹＥＳ）、Ｓ２３０に進んで、ＤＲＡＭ２１内のＩＣＭ属性情報（無音声フラグ及び発呼側電話番号、発呼者名および時刻）を読み込み、続くＳ２４０にて、上述した録音処理で無音声フラグがセットされたＩＣＭに対応する発呼側電話番号，発呼者名，時刻の内、発呼者名を優先させて、即ちＤＲＡＭ２１内に再生すべき録音データが残されなかったＩＣＭに対応する発呼者名を選別して、その発呼者名を表示部２７に表示させる分別表示手段としての処理を実行する。ただし、発呼者名がＩＣＭ属性情報に存在しない場合は発呼側電話番号を表示させる。
【００３８】
尚、この発呼者名はカーソルキーが押される度に順次発呼側電話番号，時刻と順に表示が繰り返され、また、無音声モードキーが押される度に次の発呼者名が順次表示される。また、無音声モードキーを一度押下すれば、録音データが残されなかったＩＣＭに対応する発呼者名，発呼側電話番号，時刻を順次サイクリックに表示するようにしてもよい。
【００３９】
また一方、Ｓ２１０にて、再生キーがオンされたと判定した場合には（Ｓ２１０でＹＥＳ）、Ｓ２５０にて、上述した録音処理で録音されたＩＣＭを順次再生すると共に、再生するＩＣＭに対応した発呼側電話番号，発呼者名，時刻の内、発呼者名を優先的に表示部２７に表示させる再生制御手段としての再生処理を実行し、その後Ｓ１１０に戻る。
【００４０】
ここで、この再生処理（Ｓ２５０）は図５に示す如く実行される。即ち、再生処理の実行が開始されると、まず、Ｓ６１０にて、録音処理によって録音されたＩＣＭがあるか否かを判定する。尚、この判定では、無音声フラグのセットされたＩＣＭも録音されたＩＣＭとして扱われる。そしてＳ６１０にて、録音されたＩＣＭがないと判定された場合には（Ｓ６１０でＮＯ）、続くＳ６２０にて、表示部２７にＩＣＭが無い旨のメッセージを表示してから当該再生処理を終了する。
【００４１】
一方、Ｓ６１０にて、録音されたＩＣＭがあると判定した場合には（Ｓ６１０でＹＥＳ）、Ｓ６３０に移行して、今回再生するＩＣＭに対応した発呼側電話番号，発呼者名，時刻などがＤＲＡＭ２１に記憶されているか否かを判定し、発呼側電話番号，発呼者名，時刻などが記憶されていると判定した場合には（Ｓ６３０でＹＥＳ）、続くＳ６４０にて、その発呼者名を優先させて表示部２７に表示する。ＤＲＡＭ２１に発呼者名が記憶されていなければ、発呼側電話番号を表示する。
【００４２】
尚、この発呼者名はカーソルキーが押される度に順次発呼側電話番号，時刻と順に表示が繰り返されるため、録音されたＩＣＭを聞きながら発呼側電話番号や発呼された時刻を確認することができる。
【００４３】
そして、Ｓ６４０の処理を終了するか、或いはＳ６３０にて発呼者名などが記憶されていないと判定した場合には（Ｓ６３０でＮＯ）、Ｓ６５０に移行して、今回再生するＩＣＭに対応した無音声フラグをチェックすることにより、そのＩＣＭの録音データがＤＲＡＭ２１に記憶されているか否かを判定する。そして、ＩＣＭの録音データがあると判定した場合には（Ｓ６５０でＹＥＳ）、続くＳ６６０にて、その録音データの再生を開始する再生手段としての処理を実行し、続くＳ６７０にて、図６に示す有音時処理を実行する。
【００４４】
ここで、図６に示すように有音時処理（Ｓ６７０）の実行が開始されると、まず、Ｓ７１０にて、録音データ（ＩＣＭ）の再生が終了したか否かを判定し、ＩＣＭの再生が終了したと判定した場合には（Ｓ７１０でＹＥＳ）、そのまま当該処理を終了するが、ＩＣＭの再生が終了していないと判定した場合には（Ｓ７１０でＮＯ）、続くＳ７２０にて、操作部２５のリダイヤルキーがオンされたか否かを判定する。そして、リダイヤルキーがオンされたと判定した場合には（Ｓ７２０でＹＥＳ）、続くＳ７３０にて、現在再生中のＩＣＭに対応する発呼側電話番号がＤＲＡＭ２１に記憶されているか否かを判定し、記憶されていると判定した場合には（Ｓ７３０でＹＥＳ）、続くＳ７４０にて、ＩＣＭの再生を中止する。
【００４５】
そして、続くＳ７５０にて、電話回線３を閉結し、続くＳ７６０にて、再生していたＩＣＭに対応する発呼側電話番号にダイヤルし、更に続くＳ７７０にて、オフフックされるまで待機する。つまり、Ｓ７５０〜Ｓ７７０の処理により、受話器３５が下ろされた状態で発信を行う、所謂オンフックモニタ状態となる。
【００４６】
次いで、Ｓ７７０にて、オフフックされたと判定すると（Ｓ７７０でＹＥＳ）、続くＳ７８０にて、受話器３５による通話を可能にすると共に、通話が終わってオンフックされるまで待機する。そして、このＳ７８０にてオンフックを検出すると（Ｓ７８０でＹＥＳ）、続くＳ７９０にて電話回線３を開放した後、当該処理を終了する。
【００４７】
また、Ｓ７３０にて、再生中のＩＣＭに対応する発呼側電話番号がないと判定した場合には（Ｓ７３０でＮＯ）、Ｓ８００に移行して、表示部２７にエラーメッセージ（この場合には、ダイヤルできない旨を示すメッセージ）を表示させた後、前記Ｓ７１０に戻る。
【００４８】
一方、Ｓ７２０にて、リダイヤルキーがオンされていないと判定した場合には（Ｓ７２０でＮＯ）、Ｓ８１０に移行して、操作部２５の電話帳キーがオンされたか否かを判定する。そして、電話帳キーがオンされていないと判定した場合には（Ｓ８１０でＮＯ）、前記Ｓ７１０に戻るが、電話帳キーがオンされたと判定した場合には（Ｓ８１０でＹＥＳ）、Ｓ８２０に進んで、前記Ｓ７３０の場合と同様に、現在再生中のＩＣＭに対応する発呼側電話番号や発呼者名がＤＲＡＭ２１に記憶されているか否かを判定し、記憶されていると判定した場合には（Ｓ８２０でＹＥＳ）、続くＳ８３０にて、自動ダイヤル（短縮ダイヤル）の登録枠に空きがあるか否かを判定する。そして、自動ダイヤル（短縮ダイヤル）に空きがあると判定した場合には（Ｓ８３０でＹＥＳ）、続くＳ８４０にて、現在再生中のＩＣＭに対応する発呼側電話番号と発呼者名を、自動ダイヤルが可能な電話番号として空き短縮番号のうちの小さい番号に対応させて登録し、その登録された電話番号と発呼者名と短縮番号とを順次表示部２７に表示した後、前記Ｓ７１０に戻る。
【００４９】
また、Ｓ８２０で発呼側電話番号や発呼者名が記憶されていないと判定した場合（Ｓ８２０でＮＯ）、或いはＳ８３０で自動ダイヤルに空きがないと判定した場合には（Ｓ８３０でＮＯ）、Ｓ８００に移行して、表示部２７にエラーメッセージ（この場合には、登録できない旨を示すメッセージ）を表示した後、前記Ｓ７１０に戻る。
【００５０】
つまり、この有音時処理では、ＩＣＭの再生中にリダイヤルキーが押されると、そのＩＣＭに対応した発呼側電話番号へダイヤル発信するようにしており、これにより、留守中に電話をかけてきた相手へ簡単に連絡できるようにしている。また、ＩＣＭの再生中に電話帳キーが押されると、そのＩＣＭに対応した発呼側電話番号や発呼者名を短縮ダイヤル用の電話番号として空き短縮番号と共に登録するようにしており、これにより、自動登録された短縮番号を操作（ダイヤル操作）することによって、後で簡単に電話がかけられるようにしている。
【００５１】
一方、図５のＳ６５０にて、今回再生するＩＣＭの録音データがＤＲＡＭ２１に記憶されていないと判定した場合には（Ｓ６５０でＮＯ）、Ｓ６８０に移行して、図７に示す無音時処理を実行する。
【００５２】
尚、図７に示すように、この無音時処理（Ｓ６８０）は有音時処理（Ｓ６７０）とほぼ同様に実行され、図７において有音時処理と同じ処理については、図６におけるステップ番号に「２００」を加えた番号を付している。但し、この無音時処理が実行される場合にはＩＣＭの再生が行われないため、無音時処理では、図６におけるＳ７１０に代えて、まずＳ９１５にて２秒間が経過したか否かを判定する点、及び、Ｓ９３０にて、再生しようとしているＩＣＭ（実際にはＤＲＡＭ２１に記憶されていない）に対応する発呼側電話番号が記憶されていると判定すると（Ｓ９３０でＹＥＳ）、直接Ｓ９５０に進んで電話回線３を閉結する点が異なっている。
【００５３】
従って、この無音時処理が実行された場合にも、リダイヤルキーが押されると（Ｓ９２０でＹＥＳ）、そのとき再生しようとしたＩＣＭに対応する発呼側電話番号へダイヤル発信がなされ（Ｓ９５０，Ｓ９６０）、また、電話帳キーが押されると（Ｓ１０１０でＹＥＳ）、そのＩＣＭに対応した発呼側電話番号や発呼者名が自動ダイヤル用の電話番号として空き短縮番号と対応した形で登録される（Ｓ１０４０）。
【００５４】
そして、図５に示すように、Ｓ６７０の有音時処理の実行を終了するか、或いはＳ６８０の無音時処理の実行を終了すると、Ｓ６９０に進んで、ＤＲＡＭ２１内に次のＩＣＭがあるか否かを判定し、次のＩＣＭがあれば（Ｓ６９０でＹＥＳ）、前記Ｓ６３０へ戻ってＳ６３０〜Ｓ６９０の処理を繰り返し、次のＩＣＭがなければ（Ｓ６９０でＮＯ）、当該再生処理を終了する。
【００５５】
尚、ＤＲＡＭ２１に記憶された発呼者名や発呼側電話番号などは、所定の消去キーが操作されるまでは消去されないようにしてもよいし、一度出力されたならば消去されるようにしてもよい。
【００５６】
以上説明したように、本実施例の電話装置１では、留守番電話モードにセットされているときに、順次記憶する発呼側からのＩＣＭに夫々対応させて、発呼側電話番号や発呼者名をもＤＲＡＭ２１に記憶していき（Ｓ４２０）、再生キーが押されてＩＣＭを再生する際に、再生するＩＣＭに対応した発呼者名を優先させて表示部２７に表示するようにしている（Ｓ６４０）。従って、発呼側電話番号だけを表示するのに比べ、誰から電話がかけられたのかを容易に確認でき、相手がメッセージを残さなかった場合でも、表示された発呼者名を見ることにより、留守中に誰から電話がかかってきたのかが容易に分かる。
【００５７】
そして更に、本実施例の電話装置１では、音声が含まれていなかったＩＣＭの録音データはＤＲＡＭ２１から消去するようにしている（Ｓ４４０，Ｓ４９０）。従って、発呼側電話番号や発呼者名を記憶するように構成したにも関わらず、ＤＲＡＭ２１の記憶容量を抑えることができる。
【００５８】
また、本実施例の電話装置１では、音声が含まれていなかったＩＣＭに対応する発呼者名や発呼側電話番号を、無音声フラグにより識別してＤＲＡＭ２１に格納するようにし（Ｓ５１０，Ｓ５２０）、操作部２５の無音声モードキーを押すことにより、その発呼者名や発呼側電話番号だけを順次表示できるようにしている（Ｓ２２０〜Ｓ２４０）。従って、本実施例の電話装置１によれば、メッセージを残さなかった相手を、発呼者名や発呼側電話番号だけを表示させて素早く知ることができる。
【００５９】
尚、上記実施例では、ＩＣＭを再生する際に、そのＩＣＭに対応する発呼者名を優先的に表示するものであった。換言するならば、ＩＣＭの再生指令と発呼者名や発呼側電話番号の表示指令とを共用したものであったが、例えば、ＤＲＡＭ２１に記憶された発呼者名や発呼側電話番号の表示指令を行うための専用キーを設け、そのキーが押される度に、記憶された発呼者名や発呼側電話番号を順次表示させるようにしてもよい。そしてこの場合にも、相手がメッセージを残したか否かに関わらず、表示された発呼者名を見ることにより、誰から電話がかかってきたのかが容易に分かる。
【００６０】
また、上記実施例では、電話装置１が留守番電話モードにセットされている場合に、発呼者名や発呼側電話番号などを順次記憶し、その番号を後で表示できるものであったが、自動応答を行わない在宅モード（通常の電話モード）にセットされている場合にも、呼出信号と共に送られてくる発呼者名や発呼側電話番号などを順次ＤＲＡＭ２１に記憶するようにし、所定のキーを押す度に、その記憶した発呼者名や発呼側電話番号などを表示するように構成してもよい。尚、この場合には、発呼者名や発呼側電話番号をＤＲＡＭ２１に記憶する処理が記憶制御手段に対応し、上記キーの操作に応じて発呼側電話番号を表示させる処理が表示制御手段に対応することとなる。
【００６１】
そして、このようにすることにより、相手先に無用な電話料金を課金させることがなく、相手先が何かの用で電話をしてきたことが分かる。また更に、留守番電話モードにセットしておかなくても、留守中に誰から電話がかかってきたのかが分り、商売等をしている人にとっては非常に便利である。
【００６２】
また、上記実施例では、発呼者名や電話番号の他に時刻も記憶されているので、いつ電話を受けたのかを表示を見るだけで確認することができる。
【００６３】
更に、上記実施例では、発呼者名，発呼側電話番号，時刻をカーソルキーで順次表示を繰り返すようにしたが、更に交換機から送られてくる情報が増えれば、追加して表示するようにしてもよい。また、表示部が大きければ、上記の情報を上から順に一度に表示するようにしてもよい。
【００６４】
また、ＤＲＡＭ２１に記憶された発呼側電話番号，発呼者名，時刻などを通信管理レポートとしてプリントアウトするようにしてもよい。
【図面の簡単な説明】
【００６５】
【図１】実施例の電話装置の構成を表すブロック図である。
【図２】実施例の電話装置において、留守番電話モード時に実行される全体処理を表すフローチャートである。
【図３】実施例の電話装置で実行される応答処理を表すフローチャートである。
【図４】応答処理内で実行される録音処理を表すフローチャートである。
【図５】実施例の電話装置で実行される再生処理を表すフローチャートである。
【図６】再生処理内で実行される有音時処理を表すフローチャートである。
【図７】再生処理内で実行される無音時処理を表すフローチャートである。
【符号の説明】
【００６６】
１  電話装置
３，７  電話回線
５  交換機
９  ＮＣＵ（ネットワーク・コントロールユニット）
１１  ＣＰＵ
１３  ＲＯＭ
１５  ＲＡＭ
１７  音声ＬＳＩ
２１，２３  ＤＲＡＭ
２５  操作部
２７  表示部
２９  スピーカ
３５  受話器
３７  フックスイッチ
【図１】
2007195263.tif 000003
【図２】
2007195263.tif 000004
【図３】
2007195263.tif 000005
【図４】
2007195263.tif 000006
【図５】
2007195263.tif 000007
【図６】
2007195263.tif 000008
【図７】
2007195263.tif 000009